【手続補正書】
【提出日】令和3年10月1日(2021.10.1)
【手続補正１】
【補正対象書類名】特許請求の範囲
【補正対象項目名】全文
【補正方法】変更
【補正の内容】
【特許請求の範囲】
【請求項１】
ＱＡＭ（Ｑｕａｄｒａｔｕｒｅ  Ａｍｐｌｉｔｕｄｅ  Ｍｏｄｕｌａｔｉｏｎ）によって、互いに振幅が異なる少なくとも２個の信号点を含む４個の信号点であって、隣接する信号点と位相が９０度異なる４個の信号点だけにデータ列をマッピングすることにより変調する変調回路と、
前記変調回路による変調により前記４個の信号点にマッピングされた前記データ列を、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）の互いに異なるサブキャリアに割り当てて無線で送信する送信回路とを備える
送信機。
【請求項２】
前記４個の信号点のうち、位相が互いに１８０度異なる２個の信号点は、ＩＱ平面において原点からの距離が互いに等しく、
前記４個の信号点のうち、前記２個の信号点を除く２個の信号点は、ＩＱ平面において原点からの距離が互いに等しい
請求項１に記載の送信機。
【請求項３】
前記データ列は、第一データと、前記第一データより前方又は後方の第二データとを含み、
前記変調回路は、
前記第一データをグレイ配置に基づく信号点にマッピングすることで変調し、
前記第二データを非グレイ配置に基づく信号点にマッピングすることで変調し、
前記送信回路は、
変調された前記第一データと、変調された前記第二データとを時分割で送信する
請求項１又は２に記載の送信機。
【請求項４】
前記データ列は、第三データと、前記第三データより前方又は後方の第四データとを含み、
前記変調回路は、
前記第三データをグレイ配置に基づく信号点にマッピングすることで変調し、
前記第四データを非グレイ配置に基づく信号点にマッピングすることで変調し、
前記送信回路は、
変調された前記第三データを第一周波数帯域で送信するサブキャリアに割り当てて送信し、
変調された前記第四データを、前記第一周波数帯域とは異なる第二周波数帯域で送信するサブキャリアに割り当てて送信する
請求項１〜３のいずれか１項に記載の送信機。
【請求項５】
前記データ列は、第五データと、前記第五データより前方又は後方の第六データとを含み、
前記変調回路は、
前記第五データを前記ＱＡＭにより変調し、
前記第六データをＱＰＳＫ（Ｑｕａｄｒａｔｕｒｅ  Ｐｈａｓｅ  Ｓｈｉｆｔ  Ｋｅｙｉｎｇ）により変調し、
前記送信回路は、
変調された前記第五データを第一電力で送信するサブキャリアに割り当てて送信し、
変調された前記第六データを前記第一電力より小さい第二電力で送信するサブキャリアに割り当てて送信する
請求項１〜４のいずれか１項に記載の送信機。
【請求項６】
前記データ列は、ＬＤＰＣ（Ｌｏｗ−Ｄｅｎｓｉｔｙ  Ｐａｒｉｔｙ−Ｃｈｅｃｋ）符号を含み、
前記送信機は、さらに、
前記変調回路が前記第五データとして変調するデータが、前記ＬＤＰＣ符号のうち次数が所定より高いノードになるように前記データ列内のビットの並べ替えをするビットインタリーバを備え、
前記変調回路は、
前記ビットインタリーバが前記並べ替えをした後の前記データ列を変調する
請求項５に記載の送信機。
【請求項７】
前記変調回路は、
前記４個の信号点をＩＱ平面上で原点の周りに所定の角度だけ回転させた新たな４個の信号点を、前記４個の信号点として用いて変調する
請求項１〜６のいずれか１項に記載の送信機。
【請求項８】
前記送信機は、送信可能エリアの少なくとも一部が重複している複数の送信機のうちの一の送信機であり、
前記所定の角度は、１８０度を前記複数の送信機の個数で除算した角度である
請求項７に記載の送信機。
【請求項９】
ＱＡＭ（Ｑｕａｄｒａｔｕｒｅ  Ａｍｐｌｉｔｕｄｅ  Ｍｏｄｕｌａｔｉｏｎ）によって、互いに振幅が異なる２個の信号点を含む４個の信号点であって、隣接する信号点と位相が９０度異なる４個の信号点だけにマッピングされることで変調され、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）の互いに異なるサブキャリアに割り当てて無線で送信された信号を受信する受信回路と、
前記受信回路が受信した前記信号を、前記ＱＡＭによって前記４個の信号点にマッピングすることにより復調する復調回路とを備える
受信機。
【請求項１０】
変調回路が、ＱＡＭ（Ｑｕａｄｒａｔｕｒｅ  Ａｍｐｌｉｔｕｄｅ  Ｍｏｄｕｌａｔｉｏｎ）によって、互いに振幅が異なる２個の信号点を含む４個の信号点であって、隣接する信号点と位相が９０度異なる４個の信号点だけにデータ列をマッピングすることにより変調し、
送信回路が、前記変調回路による変調により前記４個の信号点にマッピングされた前記データ列を、ＯＦＤＭ（Ｏｒｔｈｏｇｏｎａｌ  Ｆｒｅｑｕｅｎｃｙ  Ｄｉｖｉｓｉｏｎ
Ｍｕｌｔｉｐｌｅｘｉｎｇ）の互いに異なるサブキャリアに割り当てて無線で送信する
送信方法。
【請求項１１】
受信回路が、ＱＡＭ（Ｑｕａｄｒａｔｕｒｅ  Ａｍｐｌｉｔｕｄｅ  Ｍｏｄｕｌａｔｉｏｎ）によって、互いに振幅が異なる２個の信号点を含む４個の信号点であって、隣接する信号点と位相が９０度異なる４個の信号点だけにマッピングされることで変調され、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）の互いに異なるサブキャリアに割り当てて無線で送信された信号を受信し、
復調回路が、前記受信回路が受信した前記信号を、前記ＱＡＭによって前記４個の信号点にマッピングすることにより復調する
受信方法。
【請求項１２】
前記４個の信号点は、ＩＱ平面において、
第一象限に位置し、第一振幅を有する第一シンボルと、
第二象限に位置し、第二振幅を有する第二シンボルと、
第三象限に位置し、前記第一振幅を有する第三シンボルと、
第四象限に位置し、前記第二振幅を有する第四シンボルとを含み、
前記第一振幅は、前記第二振幅とは異なる
請求項１に記載の送信機。
【請求項１３】
前記４個の信号点は、ＩＱ平面において、
第一象限に位置し、第一振幅を有する第一シンボルと、
第二象限に位置し、第二振幅を有する第二シンボルと、
第三象限に位置し、前記第一振幅を有する第三シンボルと、
第四象限に位置し、前記第二振幅を有する第四シンボルとを含み、
前記第一振幅は、前記第二振幅とは異なる
請求項９に記載の受信機。
【請求項１４】
前記４個の信号点は、ＩＱ平面において、
第一象限に位置し、第一振幅を有する第一シンボルと、
第二象限に位置し、第二振幅を有する第二シンボルと、
第三象限に位置し、前記第一振幅を有する第三シンボルと、
第四象限に位置し、前記第二振幅を有する第四シンボルとを含み、
前記第一振幅は、前記第二振幅とは異なる
請求項１０に記載の送信方法。
【請求項１５】
前記４個の信号点は、ＩＱ平面において、
第一象限に位置し、第一振幅を有する第一シンボルと、
第二象限に位置し、第二振幅を有する第二シンボルと、
第三象限に位置し、前記第一振幅を有する第三シンボルと、
第四象限に位置し、前記第二振幅を有する第四シンボルとを含み、
前記第一振幅は、前記第二振幅とは異なる
請求項１１に記載の受信方法。
【手続補正２】
【補正対象書類名】明細書
【補正対象項目名】００４０
【補正方法】変更
【補正の内容】
【００４０】
上記態様によれば、上記の受信装置と同様の効果を奏する。
また、上記送信機について、前記４個の信号点は、ＩＱ平面において、第一象限に位置し、第一振幅を有する第一シンボルと、第二象限に位置し、第二振幅を有する第二シンボルと、第三象限に位置し、前記第一振幅を有する第三シンボルと、第四象限に位置し、前記第二振幅を有する第四シンボルとを含み、前記第一振幅は、前記第二振幅とは異なっていてもよい。
また、上記受信機について、前記４個の信号点は、ＩＱ平面において、第一象限に位置し、第一振幅を有する第一シンボルと、第二象限に位置し、第二振幅を有する第二シンボルと、第三象限に位置し、前記第一振幅を有する第三シンボルと、第四象限に位置し、前記第二振幅を有する第四シンボルとを含み、前記第一振幅は、前記第二振幅とは異なっていてもよい。
また、上記送信方法について、前記４個の信号点は、ＩＱ平面において、第一象限に位置し、第一振幅を有する第一シンボルと、第二象限に位置し、第二振幅を有する第二シンボルと、第三象限に位置し、前記第一振幅を有する第三シンボルと、第四象限に位置し、前記第二振幅を有する第四シンボルとを含み、前記第一振幅は、前記第二振幅とは異なっていてもよい。
また、上記受信方法について、前記４個の信号点は、ＩＱ平面において、第一象限に位置し、第一振幅を有する第一シンボルと、第二象限に位置し、第二振幅を有する第二シンボルと、第三象限に位置し、前記第一振幅を有する第三シンボルと、第四象限に位置し、前記第二振幅を有する第四シンボルとを含み、前記第一振幅は、前記第二振幅とは異なっていてもよい。